(57)【特許請求の範囲】
【請求項１】
長方形のシートが折り曲げられて形成され、直方体の収納箱に挿入されるものであって、
シートの長手方向に沿ってそれぞれ形成された第１折罫線、第２折罫線、第３折罫線及び第４折罫線によって、長手方向に沿って第１底面部、第１側面部、上面部、第２側面部、及び第２底面部が順次連続して区画され、
上記第１底面部及び上記第２底面部は、各折罫線が山折りされることによって重ねられて貼り付けられ、当該第１底面部及び当該第２底面部が重ねられた状態で厚み方向へ貫通する第１貫通孔及び第２貫通孔が少なくともいずれか一方に形成されており、
上記上面部は、長手方向の中央部分において短手方向に切断され、かつ当該上面部を上記第１側面部及び上記第２側面部とそれぞれ区画する第２折罫線及び第３折罫線の一部が長手方向に沿ってそれぞれ切断されることによって、第１端支持部及び第２端支持部が長手方向の両側に分割されて形成されており、
上記第１端支持部は、その中央部分が打ち抜かれて第１端用第１貫通孔が形成され、かつ当該第１端用第１貫通孔における上記第２端支持部側の一部分を含んで短手方向に沿って形成された第５折罫線及び当該第１端用第１貫通孔より上記第２端支持部側において短手方向に沿って形成された第６折罫線によって、第１端係止部及び第４底面部が連続して区画され、当該第５折罫線が山折りされ、かつ当該第６折罫線が谷折りされることによって、当該第４底面部が上記第１底面部及び上記第２底面部に重ねられ、当該第６折罫線に沿った一部が切断されることによって形成された突出片が上記第１貫通孔に係入され、上記第１端用第１貫通孔よりシートの端側が打ち抜かれて第１端用第２貫通孔が形成され、当該第１端用第２貫通孔における上記第１端用第１貫通孔側の一部分を含んで短手方向に沿って形成された第９折罫線によって、上記第１端用第１貫通孔と当該第１端用第２貫通孔の間の一部分が上記第１底面及び上記第２底面側へ山折りされており、
上記第２端支持部は、その中央部分が打ち抜かれて第２端用貫通孔が形成され、かつ当該第２端用貫通孔における上記第１端支持部側の一部分を含んで短手方向に沿って形成された第７折罫線及び当該第２端用貫通孔より上記第１端支持部側において短手方向に沿って形成された第８折罫線によって、第２端係止部及び第５底面部が連続して区画され、当該第７折罫線が山折りされ、かつ当該第８折罫線が谷折りされることによって、当該第５底面部が上記第１底面部及び上記第２底面部に重ねられ、当該第８折罫線に沿った一部が切断されることによって形成された突出片が上記第２貫通孔に係入されてなる長尺部材収納用仕切り。
【請求項２】
上記収納箱は、上記上面部側において長尺部材を取り出し可能な大きさに開口されるものである請求項１に記載の長尺部材収納用仕切り。
【請求項３】
上記長尺部材は、薬剤が予め充填された注射針付きの注射器であって、当該注射針側を上記第１端とし、当該注射器のプランジャ側を上記第２端とするものであり、当該注射器のシリンジバレルに形成されたフランジが、上記第２端係止部に長手方向の中央側から当接されるものである請求項１又は２に記載の長尺部材収納用仕切り。
【請求項４】
上記第２端用貫通孔は、上記プランジャの外形に沿った形状であり、当該プランジャの基端を長手方向に対して係止するものである請求項３に記載の長尺部材収納用仕切り。
【発明の詳細な説明】
【技術分野】
【０００１】
本発明は、薬剤が充填された注射器などの長尺部材を収納するに適した長尺部材収納用仕切りに関する。
【背景技術】
【０００２】
ガラス製の物など、運搬や保管の際に生ずる衝撃によって破損しやすい物は、衝撃を緩衝する部材に収納されて箱に入れられていることが多い。このような緩衝用の仕切りは、外箱と別体として形成されたものや（特許文献１）、外箱に一体に形成されたものがある（特許文献２，３）。外箱と別体に形成された仕切りは、印刷などが異なる複数種の外箱に共通して使用できるという利点がある。
【０００３】
近年、注射器のシリンジやプランジャは合成樹脂製のものが増えているが、予め薬剤が充填された注射器（以下、「プレフィルドシリンジ」とも称される。）では、ガラス製のシリンジが用いられることが多い。したがって、プレフィルドシリンジの外箱や仕切りには、シリンジの破損を抑制するために、衝撃を緩衝する性能が求められる。
【先行技術文献】
【特許文献】
【０００４】
【特許文献１】特開２００９−１７３３２８号公報
【特許文献２】特開２００１−２１６８号公報
【特許文献３】特開２００３−４０２５３号公報
【発明の概要】
【発明が解決しようとする課題】
【０００５】
収納される物がプレフィルドシリンジであるか否かに拘わらず、一般に、運送や保管のコストを抑制するために、外箱や仕切りは小型軽量化される傾向にある。しかしながら、仕切りなどを小型軽量化すると、衝撃を緩衝する性能が低くなり、収納物に衝撃が伝わりやすくなる。特に、プレフィルドシリンジに対しては、シリンジなどの破損のみならず、プランジャが移動することによって薬剤が混合されてしまうという問題も生じる。
【０００６】
詳細に説明するに、プレフィルドシリンジにおいては、シリンジバレル内を移動可能なガスケットが設けられており、このガスケットがシリンジバレルの所定位置に位置せしめられて、シリンジバレルの内部空間が２部屋に分割されている。シリンジバレルの各部屋には、粉末の薬剤と、その薬剤を溶解させるための液が充填されている。使用に際しては、シリンジバレルに対してプランジャが押し込まれることによって、ガスケットも連動して所定位置から移動して各部屋が液を流通可能に連通され、粉末の薬剤が充填された部屋に液が流入して薬剤が溶解される。
【０００７】
プレフィルドシリンジの構造は様々であるが、一般には、シリンジバレルに対してプランジャが押し込まれることによって、薬剤の粉末が液に溶解されるものが多い。したがって、輸送や保管の際に生じる衝撃によってプランジャが押し込まれると、使用前に薬剤が液に溶解されるおそれがある。
【０００８】
本発明は、前述された事情に鑑みてなされたものであり、その目的は、プレフィルドシリンジなどの長尺部材を収納するに好適であって、小型軽量かつ簡易な仕切りを提供することにある。
【課題を解決するための手段】
【０００９】
(1)  本発明に係る長尺部材収納用仕切りは、長方形のシートが折り曲げられて形成され、直方体の収納箱に挿入されるものであって、シートの長手方向に沿ってそれぞれ形成された第１折罫線、第２折罫線、第３折罫線及び第４折罫線によって、長手方向に沿って第１底面部、第１側面部、上面部、第２側面部、及び第２底面部が順次連続して区画されている。上記第１底面部及び上記第２底面部は、各折罫線が山折りされることによって重ねられて貼り付けられ、当該第１底面部及び当該第２底面部が重ねられた状態で厚み方向へ貫通する第１貫通孔及び第２貫通孔が少なくともいずれか一方に形成されている。上記上面部は、長手方向の中央部分において短手方向に切断され、かつ当該上面部を上記第１側面部及び上記第２側面部とそれぞれ区画する第２折罫線及び第３折罫線の一部が長手方向に沿ってそれぞれ切断されることによって、第１端支持部及び第２端支持部が長手方向の両側に分割されて形成されている。上記第１端支持部は、その中央部分が打ち抜かれて第１端用第１貫通孔が形成され、かつ当該第１端用第１貫通孔における上記第２端支持部側の一部分を含んで短手方向に沿って形成された第５折罫線及び当該第１端用第１貫通孔より上記第２端支持部側において短手方向に沿って形成された第６折罫線によって、第１端係止部及び第４底面部が連続して区画され、当該第５折罫線が山折りされ、かつ当該第６折罫線が谷折りされることによって、当該第４底面部が上記第１底面部及び上記第２底面部に重ねられ、当該第６折罫線に沿った一部が切断されることによって形成された突出片が上記第１貫通孔に係入されている。上記第２端支持部は、その中央部分が打ち抜かれて第２端用貫通孔が形成され、かつ当該第２端用貫通孔における上記第１端支持部側の一部分を含んで短手方向に沿って形成された第７折罫線及び当該第２端用貫通孔より上記第１端支持部側において短手方向に沿って形成された第８折罫線によって、第２端係止部及び第５底面部が連続して区画され、当該第７折罫線が山折りされ、かつ当該第８折罫線が谷折りされることによって、当該第５底面部が上記第１底面部及び上記第２底面部に重ねられ、当該第８折罫線に沿った一部が切断されることによって形成された突出片が上記第２貫通孔に係入されている。
【００１０】
本発明に係る長尺部材収納用仕切りは、長方形のシートが折り曲げられて形成されるものなので、組み立てが容易である。また、直方体の収納箱と別体に形成されものなので、複数種の収納箱に共通して用いることができる。
【００１１】
シートの長手方向に沿ってそれぞれ形成された第１折罫線、第２折罫線、第３折罫線及び第４折罫線によって、長手方向に沿って第１底面部、第１側面部、上面部、第２側面部、及び第２底面部が順次連続して区画されているので、シートが組み立てられた際に、底面及び側面が短手方向に切断されることなく長手方向へ連続した面をなすので、長尺部材用仕切りに歪みが生じにくい。
【００１２】
接着箇所としては、第１底面部及び第２底面部が重ねられて貼り付けられるのみであるので、接着作業が極力少なくて済む。
【００１３】
上面部が長手方向の中央部分において短手方向に切断されて、第１端支持部及び第２端支持部が長手方向の両側に分割されて形成されているので、収納される長尺部材を把持するに適した空間が中央部分に形成される。
【００１４】
第１側面部及び第２側面部と連続する第１端支持部及び第２端支持部において、第１端係止部及び第２端係止部がそれぞれ形成されているので、収納される長尺部材を長手方向に対してしっかり係止することができる。
【００１５】
第１端支持部及び第２端支持部は、各突出片が第１貫通孔及び第２貫通孔に係入されることによって第１底面部及び第２底面部と接続されるので、この部分の組み立てに接着作業は不要である。また、この接続によって第１端支持部及び第２端支持部の剛性が高められる。
【００１６】
(2)  上記第１端支持部は、上記第１端用第１貫通孔よりシートの端側が打ち抜かれて第１端用第２貫通孔が形成され、当該第１端用第２貫通孔における上記第１端用第１貫通孔側の一部分を含んで短手方向に沿って形成された第９折罫線によって、上記第１端用第１貫通孔と当該第１端用第２貫通孔の間の一部分が上記第１底面及び上記第２底面側へ山折りされたものであってもよい。
【００１７】
これにより、収納される長尺部材の第１端側を２カ所で係止することができる。
【００１８】
(3)  上記収納箱は、上記上面部側において長尺部材を取り出し可能な大きさに開口されるものであってもよい。
【００１９】
前述されたように、収納された長尺部材は、上面部側から中央部分を把持して取り出すことが容易なので、上面部側が開口される収納箱に対して好適に用いられる。
【００２０】
(4)  上記長尺部材は、薬剤が予め充填された注射針付きの注射器であって、当該注射針側を上記第１端とし、当該注射器のプランジャ側を上記第２端とするものであり、当該注射器のシリンジバレルに形成されたフランジが、上記第２端係止部に長手方向の中央側から当接されるものが好適である。
【００２１】
注射器のプランジャではなく、シリンジバレルのフランジが第２端係止部に係止されるので、プランジャに衝撃が直接的に加わることが抑制される。
【００２２】
(5)  上記第２端用貫通孔は、上記プランジャの外形に沿った形状であり、当該プランジャの基端を長手方向に対して係止するものが好適である。
【００２３】
シリンジバレルが係止され、かつプランジャも係止されるので、衝撃によってプランジャがシリンジバレルへ押し込まれることが一層抑制される。
【発明の効果】
【００２４】
前述されたようにして、本発明によって、プレフィルドシリンジなどの長尺部材を収納するに好適であって、小型軽量かつ簡易な仕切りが実現される。
【図面の簡単な説明】
【００２５】
【図１】図１は、本発明の実施形態にかかる仕切り１０を示す展開図である。
【図２】図２は、仕切り１０が組み立てられた状態を示す斜視図である。
【図３】図３は、図１におけるIII-III切断線の断面構造を示す断面図である。
【図４】図４は、収納箱５０の外観を示す斜視図である。
【図５】図５は、収納箱５０が開封された状態を示す斜視図である。
【図６】図６は、プレフィルドシリンジ６０の外観を示す斜視図である。
【図７】図７は、仕切り１０にプレフィルドシリンジ６０が位置決めされた状態を示す斜視図である。
【図８】図８は、仕切り１０の変形例を示す展開図である。
【発明を実施するための形態】
【００２６】
以下、本発明の好ましい実施形態を説明する。なお、本実施形態は本発明の一実施態様にすぎず、本発明の要旨を変更しない範囲で実施態様を変更できることは言うまでもない。
【００２７】
［仕切り１０］
図１に示されるように、仕切り１０は、長方形のシート２０が折り曲げられて形成される。長方形の長辺の長さと短辺の長さとの比率は特に限定されず、収納すべき長尺部材に応じて適宜設定される。図１において、参照符号１０１が付された矢印によって示される方向が、仕切り１０の長手方向１０１であり、参照符号１０２が付された矢印によって示される方向が仕切り１０の短手方向１０２である。また、図１に現されている面が、シート２０の表面であり、その反対側の面がシート２０の裏面と称される。
【００２８】
なお、本明細書において長方形とは正方形を含む概念であり、仮に正方形のシートが用いられるのであれば、隣接する２辺のいずれか一方に沿った方向が長手方向と解され、他方に沿った方向が短手方向と解される。
【００２９】
シート２０は、例えば紙や樹脂などからなる薄手の平らなものであるが、後述されるように打ち抜かれたり折り曲げられたりすることができるものであって、形状を維持できる剛性及び衝撃を適度に緩衝できる弾性を有するものであれば、特に素材は限定されない。
【００３０】
シート２０には、長手方向１０１に沿って第１折罫線１１、第２折罫線１２、第３折罫線１３及び第４折罫線１４がそれぞれ形成されている。図１に示されるように、これらは相互に平行であり、いずれもがシート２０において対向する縁に渡って形成されている。
【００３１】
シート２０は、第１折罫線１１、第２折罫線１２、第３折罫線１３及び第４折罫線１４によって、第１底面部２１、第１側面部２２、上面部２３、第２側面部２４、及び第２底面部２５に区画されている。第１折罫線１１、第２折罫線１２、第３折罫線１３及び第４折罫線１４には、折り曲げを容易にするための破断部がそれぞれ設けられている。
【００３２】
第１底面部２１、第１側面部２２、上面部２３、第２側面部２４、及び第２底面部２５は、短手方向１０２に沿って順次連続して並んでおり、シート２０が第１折罫線１１、第２折罫線１２、第３折罫線１３及び第４折罫線１４に沿って折り曲げられることによって、図２に示されるように、仕切り１０の上面、両側面、底面となる。第１底面部２１、第１側面部２２、上面部２３、第２側面部２４、及び第２底面部２５は、それぞれが長手方向１０１に沿った長方形をなしている。第１底面部２１、上面部２３及び第２底面部２５は、それぞれが概ね同じ大きさの長方形であり、また、第１側面部２２と第２側面部２４とは、概ね同じ大きさの長方形である。
【００３３】
［第１底面部２１及び第２底面部２５］
図１から図３に示されるように、第１底面部２１及び第２底面部２５は、第１折罫線１１、第２折罫線１２、第３折罫線１３及び第４折罫線１４が山折りされることによって重ねられて貼り付けられる。なお、本明細書においてシート２０の表面側が出隅となるような折り方が山折りと称され、シート２０の表面側が入隅となるような折り方が谷折りと称される。第１底面部２１及び第２底面部２５は、いずれが外側となる重ね方であってもよいが、本実施形態においては、第２底面部２５が外側となるように両者が重ねられる。また、図１において網掛けで示される領域が糊付部２６であり、この糊付部２６に糊などの接着剤が塗布されて、重ねられた第１底面部２１と第２底面部２５とが貼り付けられる。
【００３４】
第１底面部２１には、一対の貫通孔３１，３２が形成されており、第２底面部２５には、一対の貫通孔３７，３８が形成されている。貫通孔３１，３２は、第１底面部２１において、長手方向１０１の中央に対して左右対称に配置されている。各貫通孔３１，３２は、概ね三角形であり、中央側をその底辺として両者が対向されており、両縁側へ頂点が向かっている。貫通孔３７，３８は、第２底面部２５において、長手方向１０１の中央に対して左右対称に配置されている。各貫通孔３７，３８は、概ね三角形であり、両縁側をその底辺とし、中央側へ頂点が向かって両者が対向されている。貫通孔３１，３７と貫通孔３２，３８とは、長手方向１０１の中央に対して対称となり、かつ第５折罫線１５及び第７折罫線１７がそれぞれ短手方向１０２に沿った方向へ延長された直線状に配置されている。貫通孔３１，３２と貫通孔３７，３８とは、第１底面部２１及び第２底面部２５が重ねられることによって、その一部がそれぞれ重複して、第１底面部２１及び第２底面部２５を厚み方向へ貫通する貫通孔を形成する。貫通孔３１，３７が本発明における第１貫通孔に相当し、貫通孔３２，３８が本発明における第２貫通孔に相当する。
【００３５】
［上面部２３］
上面部２３は、長手方向１０１の中央が短手方向１０２に沿って第２折罫線１２及び第３折罫線１３に渡って切断されている。この切断によって、上面部２３に、第１端支持部２７及び第２端支持部２８が長手方向１０１の両側に分割されて形成されている。また、第２折罫線１２及び第３折罫線１３の中央側における第５折罫線１５から第７折罫線１７に渡る一部が長手方向１０１に沿ってそれぞれ切断されている。
【００３６】
［第１端支持部２７］
第１端支持部２７は、長手方向１０１の中央部分が打ち抜かれて第１端用第１貫通孔３３が形成されている。第１端用第１貫通孔３３は、長手方向１０１の中央側が半円より若干大きな円形をなしており、その円形において長手方向１０１の縁側へ開口された一部分が短手方向１０２に対して幅狭となっている。また、長手方向１０１の縁側が、短手方向１０２の両端が若干縁側へ突出する鈎形状をなしている。第１端用第１貫通孔３３の円形は、収納すべきプレフィルドシリンジ６０のノズル部６３の断面形状に対応する。
【００３７】
第１端用第１貫通孔３３における第２端支持部２８側、つまり長手方向１０１の中央側の一部分を含んで短手方向１０２に沿って第５折罫線１５が形成されている。また、第１端用第１貫通孔３３より第２端支持部２８側、つまり長手方向１０１の中央側において短手方向１０２に沿って第６折罫線１６が形成されている。第５折罫線１５及び第６折罫線１６によって、第１端係止部４１及び第４底面部４２が連続して区画されている。第５折罫線１５が山折りされ、かつ第６折罫線１６が谷折りされることによって、第４底面部４２が第１底面部２１及び第２底面部２５に重ねられる。また、第６折罫線１６に沿った一部が長手方向１０１の中央側へ膨出するように切断されている。この切断によって、第６折罫線１６が谷折りされると、第１底面部２１及び第２底面部２５側へ突出する突出片４３が形成される。この突出片４３が貫通孔３１，３７に係入されることによって、第１端係止部４１が第１底面部２１及び第２底面部２５に対して起立した状態に維持される。
【００３８】
第１端支持部２７は、第１端用第１貫通孔３３より長手方向１０１の縁側が打ち抜かれて第１端用第２貫通孔３４が形成されている。第１端用第２貫通孔３４は、長手方向１０１に沿った楕円形である。第１端用第２貫通孔３４の楕円形は、収納すべきプレフィルドシリンジ６０の注射針６１のキャップの断面形状に対応する。
【００３９】
第１端用第２貫通孔３４における第１端用第１貫通孔３３側、つまり長手方向１０１の中央側の一部分を含んで短手方向１０２に沿って第９折罫線１９が形成されている。第９折罫線１９によって、第１端用第１貫通孔３３と第１端用第２貫通孔３４の間の一部分が第１底面部２１及び第２底面部２５側へ山折りされて、上面部２３から第１底面部２１及び第２底面部２５へ向かって垂下される。
【００４０】
［第２端支持部２８］
第２端支持部２８は、長手方向１０１の中央部分が打ち抜かれて第２端用貫通孔３５が形成されている。第２端用貫通孔３５は、長手方向１０１の中央側が半円より若干大きな円形をなしており、その円形において長手方向１０１の縁側へ開口された一部分が短手方向１０２に対して幅狭となっている。また、長手方向１０１の縁側が、短手方向１０２の両端が幅広となった形状をなしている。第２端用貫通孔３５の円形は、収納すべきプレフィルドシリンジ６０のプランジャ６５における短手方向１０２に沿った断面形状に対応する。第２端用貫通孔３５における円形より縁側の形状は、収納すべきプレフィルドシリンジ６０のプランジャ６５における長手方向１０２に沿った断面形状に対応する。
【００４１】
第２端用貫通孔３５における第１端支持部２７側、つまり長手方向１０１の中央側の一部分を含んで短手方向１０２に沿って第７折罫線１７が形成されている。また、第２端用貫通孔３５より第１端支持部２７側、つまり長手方向１０１の中央側において短手方向１０２に沿って第８折罫線１８が形成されている。第７折罫線１７及び第８折罫線１８によって、第２端係止部４４及び第５底面部４５が連続して区画されている。第７折罫線１７が山折りされ、かつ第８折罫線１８が谷折りされることによって、第５底面部４５が第１底面部２１及び第２底面部２５に重ねられる。また、第８折罫線１８に沿った一部が長手方向１０１の中央側へ膨出するように切断されている。この切断によって、第８折罫線１８が谷折りされると、第１底面部２１及び第２底面部２５側へ突出する突出片４６が形成される。この突出片４６が貫通孔３２，３８に係入されることによって、第２端係止部４４が第１底面部２１及び第２底面部２５に対して起立した状態に維持される。
【００４２】
［収納箱５０］
仕切り１０は、図４に示される収納箱５０に挿入される。収納箱５０は、仕切り１０の長手方向１０１に長い直方体であり、その内部空間の幅及び奥行きが、仕切り１０の幅及び奥行きとほぼ同等であり、内部空間の高さが、仕切り１０の高さより大きい。したがって、収納箱５０の内部空間には、高さ方向において若干隙間を有して仕切り１０が収まる。収納箱５０は、長手方向１０１の両端がそれぞれ開口されており、この開口のいずれか一方から仕切り１０が挿入される。そして、仕切り１０が挿入されると、各開口が小口部５１によって閉鎖される。
【００４３】
収納箱５０の上面部５２には、ジッパー５３が形成されている。このジッパー５３は、鈎状の切り目が所定間隔で形成されてなるものであり、開封方向１０３へ力が加えられることによって、切り目の間が引き裂かれる。上面部５２と側面部５４との山折りされた境界における長手方向１０１の中央には押し込み用の一対の切り目５５が形成されている。一対の切り目５５の間にユーザの指が挿入されることによって、ジッパー５３における長手方向１０１の中央をユーザが挟み持つことができる。そして、その中央が開封方向１０３へ引き上げられることによって、図５に示されるように、ジッパー５３に沿って上面部５２の中央部分が開かれて、収納箱５０が開口される。この開口の大きさは、後述されるプレフィルドシリンジ６０を取り出し可能な大きさに設定されている。
【００４４】
［プレフィルドシリンジ６０］
図６に示されるように、プレフィルドシリンジ６０は、仕切り１０により位置決めされて収納箱５０に収納される長尺部材である。プレフィルドシリンジ６０は、薬剤が予め充填された注射針付きの注射器である。本明細書において、プレフィルドシリンジ６０における注射針６１側が第１端と称され、プランジャ６５側が第２端と称される。
【００４５】
プレフィルドシリンジ６０は、円筒形状のシリンジバレル６２を有する。各図には現れていないが、シリンジバレル６２の内部空間は、中間ガスケットによって第１端側と第２端側の２部屋に区画されている。そして、各部屋において独立して摺動可能な２個のガスケットがそれぞれ液密に設けられている。また、各部屋には、粉末薬剤と薬液とがそれぞれ充填されている。使用に際しては、プランジャ６５がシリンジバレル６２に押し込まれることによって、各ガスケットが摺動されて粉末薬剤と薬液とが混合されるが、この機能は本発明の要旨をなすものではないので、詳細な説明が省略される。なお、この機能については、例えば特開２００７−１８５３１９号公報に詳述されている。
【００４６】
シリンジバレル６２の第１端側にはノズル部６３が設けられている。このノズル部６３に注射針６１が装着されている。なお、各図においては、キャップがなされた注射針６１が示されている。ノズル部６３とシリンジバレル６２との境界は、径方向外側へ膨らんだ段をなしている。
【００４７】
シリンジバレル６２の第２端側にはフランジ６４が設けられている。フランジ６４は、ユーザがプランジャ６５を押し込む際に指を掛けるためのものであり、相反する径方向へ一対の羽根形状の突片が突出されてなる。
【００４８】
プランジャ６５は、第１端側において前述されたガスケットの一つと連結されたものであり、シリンジバレル６２の内部空間に挿入可能な棒形状である。プランジャ６５がユーザに操作されることによって、粉末薬剤と薬液が混合されたり、注射針６１の先端から薬液が流出されたりする。プランジャ６５の第２端（基端）には端板６６が設けられている。端板６６は円板であり、フランジ６４と同様に、プランジャ６５の軸６７から径方向外側へ突出する。
【００４９】
［仕切り１０の使用方法］
仕切り１０は、例えば、シート２０の第２折罫線１２が山折りされて第１底面部２１の糊付部２６に糊が塗布される。次に、第４折罫線１４が山折りされて第１底面部２１の表面に第２底面部２５が重ねられる。そして、第１底面部２１の表面と第２底面部２５の裏面とが糊付部２６の糊によって接着される。この状態でシート２０は保管され、また出荷される。なお、シート２０の第１折罫線１１及び第３折罫線１３がそれぞれ山折りされて、同様に第１底面部２１と第２底面部２５とが糊付けされてもよい。
【００５０】
前述された状態で保管又は出荷されたシート２０は、使用に際して、図２及び図３に示されるように、第１折罫線１１、第２折罫線１２、第３折罫線１３及び第４折罫線１４がそれぞれ約９０°の角度をなすように山折りされて、直方体の筒形状とされる。次に、第５折罫線１５が山折りされ、かつ第６折罫線１６が谷折りされることによって、第４底面部４２が第１底面部２１及び第２底面部２５に重ねられ、突出片４３が貫通孔３１，３７に係入されることによって、第１端係止部４１が第１底面部２１及び第２底面部２５に対して起立した状態に維持される。同様に、第７折罫線１７が山折りされ、かつ第８折罫線１８が谷折りされることによって、第５底面部４５が第１底面部２１及び第２底面部２５に重ねられ、突出片４６が貫通孔３２，３８に係入されることによって、第２端係止部４４が第１底面部２１及び第２底面部２５に対して起立した状態に維持される。
【００５１】
図７に示されるように、仕切り１０に対してプレフィルドシリンジ６０が、上面部２３側から挿入されて、仕切り１０により位置決めされる。詳細には、先ず、プレフィルドシリンジ６０の注射針６１が第１端支持部２７の第１端用第２貫通孔３４へ挿入され、その後、プランジャ６５が第２端支持部２８の第２端用貫通孔３５へ挿入される。
【００５２】
第１端支持部２７において、注射針６１及びノズル部６３が第１端用第１貫通孔３３へ挿入されて、第１端係止部４１の長手方向１０１の縁側からノズル部６３が当接する。これにより、ノズル部６３が長手方向１０１の中央側へ移動することが制止されるとともに、第１端係止部４１の変形によって、ノズル部６３が長手方向１０１の中央側へ移動するような衝撃が緩衝される。
【００５３】
第２端支持部２８において、プランジャ６５が第２端用貫通孔３５へ挿入されて、第２端係止部４４の長手方向１０１の中央側からフランジ６４が当接する。これにより、フランジ部６４が長手方向１０１の縁側へ移動することが制止されるとともに、第２端係止部４４の変形によって、フランジ６４が長手方向１０１の縁側へ移動するような衝撃が緩衝される。
【００５４】
また、第２端支持部２８において、プランジャ６５が第２端用貫通孔３５へ挿入されることによって、長手方向１０１に対して、プランジャ６５の端板６６が第２端用貫通孔３５とが係合する。これにより、プランジャ６５が長手方向１０１へ移動することが制止される。
【００５５】
前述されたようにして、仕切り１０に位置決めされたプレフィルドシリンジ６０が、仕切り１０と共に収納箱５０に挿入されて、収納箱５０が封止される。そして、使用に際しては、収納箱５０の上面部５２の一部がジッパー５３に沿って破断されることによって、仕切り１０に収納されたプレフィルドシリンジ６０の大部分が外側へ露出される。仕切り１０において、長手方向１０１の中央部分には上面部２３が存在しないので、ユーザは、上面部２３が存在しない空間へ指を挿入して、シリンジバレル６２を挟み持ってプレフィルドシリンジ６０を上側へ引き上げることができる。収納箱５０の上面部５２は全てが開口されていないので、プレフィルドシリンジ６０が引き上げられるに伴って、仕切り１０が収納箱５０から引き上げられることがない。
【００５６】
［本実施形態の作用効果］
前述されたように、仕切り１０は、長方形のシート２０が折り曲げられて形成されるものなので、組み立てが容易である。また、収納箱５０と別体に形成されものなので、複数種の収納箱５０に共通して用いることができる。
【００５７】
また、シート２０が第１折罫線１１、第２折罫線１２、第３折罫線１３及び第４折罫線１４によって、長手方向１０１に沿って第１底面部２１、第１側面部２２、上面部２３、第２側面部２４、及び第２底面部２５が順次連続して区画されているので、組み立てられた際に、仕切り１０の底面及び側面が短手方向１０２に切断されることなく長手方向１０１へ連続した面をなすので、仕切り１０に歪みが生じにくい。
【００５８】
また、第１底面部２１及び第２底面部２５が重ねられて糊付部２６に塗布された糊によって貼り付けられるのみであるので、接着作業が極力少なくて済む。
【００５９】
また、上面部２３が長手方向１０１の中央部分において短手方向１０２に切断されて、第１端支持部２７及び第２端支持部２８が長手方向１０１の両側に分割されて形成されているので、プレフィルドシリンジ６０を把持するに適した空間が仕切り１０の中央部分に形成される。
【００６０】
また、第１側面部２２及び第２側面部２３と連続する第１端支持部２７及び第２端支持部２８において、第１端係止部４１及び第２端係止部４４がそれぞれ形成されているので、プレフィルドシリンジ６０を長手方向１０１に対してしっかり係止することができる。
【００６１】
また、第１端支持部２７及び第２端支持部２８は、各突出片４３，４６が貫通孔３１，３２，３７，３８にそれぞれ係入されることによって第１底面部２１及び第２底面部２５と接続されるので、この部分の組み立てに接着作業は不要である。また、この接続によって第１端支持部２７及び第２端支持部２８の剛性が高められる。
【００６２】
また、第１端支持部２７に第１端用第２貫通孔３４が形成されているので、プレフィルドシリンジ６０の第１端側を２カ所で係止することができる。
【００６３】
［変形例］
前述された実施形態では、第１底面部２１と第２底面部２５とがほぼ同じ大きさであり、第１底面部２１に貫通孔３１，３２が形成され、第２底面部２５に貫通孔３７，３８が形成されているが、図８に示されるように、第１底面部２１が第２底面部２５に対して小さく、糊付部２６によって第１底面部２１と第２底面部２５とが糊付けされても、第１底面部２１が第２底面部２５の貫通孔３７，３８を覆わないのであれば、第１底面部２１に貫通孔３１，３２が形成されなくともよい。
【符号の説明】
【００６４】
１０・・・仕切り
１１・・・第１折罫線
１２・・・第２折罫線
１３・・・第３折罫線
１４・・・第４折罫線
１５・・・第５折罫線
１６・・・第６折罫線
１７・・・第７折罫線
１８・・・第８折罫線
１９・・・第９折罫線
２０・・・シート
２１・・・第１底面部
２２・・・第１側面部
２３・・・上面部
２４・・・第２側面部
２５・・・第２底面部
２６・・・糊付部
２７・・・第１端支持部
２８・・・第２端支持部
３１，３７・・・貫通孔（第１貫通孔）
３２，３８・・・貫通孔（第２貫通孔）
３３・・・第１端用第１貫通孔
３４・・・第１端用第２貫通孔
３５・・・第２端用貫通孔
４１・・・第１端係止部
４２・・・第４底面部
４３・・・突出片
４４・・・第２端係止部
４５・・・第５底面部
４６・・・突出片
５０・・・収納箱
６０・・・プレフィルドシリンジ（注射器）
６１・・・注射針
６２・・・シリンジバレル
６４・・・フランジ
６５・・・プランジャ
【図１】
0005468873.tif 000002
【図２】
0005468873.tif 000003
【図３】
0005468873.tif 000004
【図４】
0005468873.tif 000005
【図５】
0005468873.tif 000006
【図６】
0005468873.tif 000007
【図７】
0005468873.tif 000008
【図８】
0005468873.tif 000009